(57)【特許請求の範囲】
【請求項１】
側部に凹溝（１７、１９）をそれぞれ有し、直角方向を向いて配置された２つのドア枠（１６、１８）に取付けるドア枠ジョイント材（１０）であって、
長片（１３）と短片（１４）が断面Ｌ字状に連結されて、一方の前記ドア枠（１６）の凹溝（１７）に前記長片（１３）の一端部（１５）が嵌入する第１部材（１１）と、
他方の前記ドア枠（１８）の凹溝（１９）に嵌入する先部（２０）、該先部（２０）が嵌入する凹溝（１９）の内幅（ｗ２）に該凹溝（１９）の片側の溝壁（２１）の厚み（ｔ３）を加えた厚みを有する中央部（２２）、及びこの中央部（２２）の厚み（ｗ２＋ｔ３）から前記短片（１４）の厚み（ｔ２）を引いた厚みを有する基部（２３）からなる第２部材（１２）とからなって、
この基部（２３）の長さ（ａ）が前記短片（１４）の長さと同一となって、前記第２部材（１２）の基部（２３）の外側に設けられた切欠き（２３ａ）に前記第１部材（１１）の短片（１４）を嵌め込んで、前記第１部材（１１）と前記第２部材（１２）を連結することを特徴とするドア枠ジョイント材。
【発明の詳細な説明】
【０００１】
【発明の属する技術分野】
本発明は、側部に凹溝を有し、直角方向を向いて取付けられた２つのドア枠に取付けるドア枠ジョイント材に関する。
【０００２】
【従来の技術】
２つのドア４８、４９が直角に近接して配置される場合の従来例に係るドア枠の施工例を、図３（Ａ）〜（Ｄ）を参照しながら説明すると、図３（Ａ）に示すように、壁部材５１、５２が取付けられた柱５３に、両側部に凹溝５４、５５が形成されたドア枠５６を固定すると共に、ドア枠５６の内側溝５７に戸当たり５８を取付ける。そして、図３（Ｂ）に示すようにドア枠５６の一方の凹溝５５に断面Ｌ字状のドア枠ジョイント材であるケーシング５９の一端を嵌入し、図３（Ｃ）に示すように、このケーシング５９の他端をもう一方のドア枠６０の凹溝６１に装着した状態で、戸当たり６２を備えたドア枠６０を柱５３に壁部材５２を介して取付ける。この後、図３（Ｄ）に示すように、ドア枠５６、６０の他の凹溝５４、６３に一端を嵌入させたケーシング６５、６６を取付けて、施工を完了する。
【０００３】
【発明が解決しようとする課題】
しかしながら、従来例に係るドア枠の施工においては、図３（Ｂ）におけるケーシング５９は手で押さえておかないとケーシング５９が脱落する恐れがある。また、図３（Ｃ）において、ドア枠６０の凹溝６１にケーシング５９の他端が嵌入して、更にドア枠６０が丁度垂直になるように保持した状態で、柱５３にドア枠６０を固定する必要があり、極めて神経を使う作業で一人では施工しにくいという問題がある。
一方、図３（Ｅ）に示すように、２〜３枚のドアが直角に近接する場合、両方のドア枠５６、６０を予め柱に固定すると、断面Ｌ字状のケーシング５９の両端を凹溝５５、６１に嵌入させることは物理的に不可能であるという問題があった。
本発明はかかる事情に鑑みてなされたもので、施工性が極めて良いドア枠ジョイント材を提供することを目的とする。
【０００４】
【課題を解決するための手段】
前記目的に沿う請求項１記載のドア枠ジョイント材は、側部に凹溝（１７、１９）をそれぞれ有し、直角方向を向いて配置された２つのドア枠（１６、１８）に取付けるドア枠ジョイント材（１０）であって、
長片（１３）と短片（１４）が断面Ｌ字状に連結されて、一方の前記ドア枠（１６）の凹溝（１７）に前記長片（１３）の一端部（１５）が嵌入する第１部材（１１）と、
他方の前記ドア枠（１８）の凹溝（１９）に嵌入する先部（２０）、該先部（２０）が嵌入する凹溝（１９）の内幅（ｗ２）に該凹溝（１９）の片側の溝壁（２１）の厚み（ｔ３）を加えた厚みを有する中央部（２２）、及びこの中央部（２２）の厚み（ｗ２＋ｔ３）から前記短片（１４）の厚み（ｔ２）を引いた厚みを有する基部（２３）からなる第２部材（１２）とからなって、
この基部（２３）の長さ（ａ）が前記短片（１４）の長さと同一となって、前記第２部材（１２）の基部（２３）の外側に設けられた切欠き（２３ａ）に前記第１部材（１１）の短片（１４）を嵌め込んで、前記第１部材（１１）と前記第２部材（１２）を連結する。
【０００５】
【発明の実施の形態】
続いて、添付した図面を参照しつつ、本発明を具体化した実施の形態につき説明し、本発明の理解に供する。
ここに、図１は本発明の一実施の形態に係るドア枠ジョイント材の使用状態を示す断面図、図２（Ａ）〜（Ｅ）は同ドア枠ジョイント材の施工手順を示す工程図である。
【０００６】
図１に示すように、本発明の一実施の形態に係るドア枠ジョイント材１０は、木材又はプラスチック材からなって、それぞれ所定の長さ（例えば、１ｍ〜２ｍ）を有する第１部材１１と第２部材１２とからなっている。第１部材１１はその断面が直角に連結された長片１３及び短片１４を有するＬ字状となって、長片１３の厚みｔ１は、その一端部１５が嵌入するドア枠１６の凹溝１７の内幅ｗ１と同一か僅少の範囲で小さくなっている。また、短片１４の厚みｔ２は長片１３の厚みｔ１の１／３〜２／３（好ましくは約１／２）程度となっている。
【０００７】
一方、第２部材１２は、前記ドア枠１６と直交配置されるドア枠１８の凹溝１９に密着嵌入する先部２０（一端部）と、凹溝１９の片側の溝壁２１の厚みｔ３に凹溝１９の内幅ｗ２を加えた厚みを有する中央部２２と、この中央部２２の厚み（ｗ２＋ｔ３）から第１部材１１の短片１４の厚みｔ２を引いた基部２３（他端部）とからなっている。この基部２３の長さａは前記短片１４の長さと同一となって、第２部材の他端部である基部２３の外側に設けられた切欠き２３ａに第１部材１１の短片１４を嵌め込んで、第１部材１１と第２部材１２を図１のように連結した場合には、第１部材１１と第２部材１２の境界部分２４が容易に識別できないようになっている。
【０００８】
次に、このドア枠ジョイント材１０を直交する２枚のドアのドア枠１６、１８に取付ける場合について、図２（Ａ）〜（Ｅ）を参照しながら説明する。
図２（Ａ）に示すように、両側に壁部材２５、２６を備えた柱２７の内側にドア枠１８を取付けて、ドア枠１８の内側（表面側）に形成されている溝に戸当たり２８を取付ける。このドア枠１８には前記した凹溝１９の他に凹溝２９が形成されている。
【０００９】
次に、図２（Ｂ）に示すように、別のドア枠１６を前記ドア枠１８とは直交状態で取付け、このドア枠１６の内側（表面側）に形成されている溝に戸当たり３０を取付ける。そして、図２（Ｃ）に示すように、ドア枠１８の凹溝１９に第２部材１２の先部２０を嵌入し、次に、図２（Ｄ）に示すように、第１部材１１をその一端部１５が凹溝１７に嵌入すると共に、第１部材１１の短片１４を第２部材１２の切欠き２３ａに嵌入させる。
【００１０】
この後必要な場合は、第１部材１１と第２部材１２との強固な連結を図るために、図１に示すように、釘３１又はねじによって固定してもよいし、接着剤を用いて第１部材１１と第２部材１２を固定してもよい。
そして、図２（Ｅ）に示すように、ドア枠１８の凹溝２９及びドア枠１６の他方側の凹溝３２にそれぞれ断面Ｌ字状の周知構造のドア枠ジョイント材３３、３４を取付けることになる。
【００１１】
前記実施の形態においては、第１部材１１を長片１３及び短片１４が直角状態で連結された断面Ｌ字状に形成すると共に、第２部材に第１部材１１の短片１４が嵌入する切欠き２３ａを設けているが、第２部材をドア枠１８に取付けた後、第１部材をドア枠１６に取付けることが可能な構造であれば、他の分割態様であっても本発明は適用される。このためには、第１部材を凹溝１７に装入時に形成される第１部材の移動領域内に、凹溝１９に装着された第２部材が存在しなければよいことになる。
【００１２】
【発明の効果】
請求項１記載のドア枠ジョイント材においては、第２部材を一方のドア枠の凹溝に装着した後、第１部材が第２部材の干渉を受けることなく、他方のドア枠の凹溝に嵌入できる構造になっているので、双方のドア枠を所定角度で取付けた後、ドア枠ジョイント材の施工ができ、施工性が向上する。
また、第１部材の長片と短片が断面Ｌ字状に連結され、第２部材の他端部の外側に第１部材の短片が密着装入される切欠きが形成されているので、第１部材と第２部材の結合状態が向上し、より強固なドア枠ジョイント材を提供できる。
【図面の簡単な説明】
【図１】本発明の一実施の形態に係るドア枠ジョイント材の使用状態を示す断面図である。
【図２】（Ａ）〜（Ｅ）は同ドア枠ジョイント材の施工手順を示す工程図である。
【図３】（Ａ）〜（Ｅ）は従来例に係るドア枠ジョイント材の施工状態を示す説明図である。
【符号の説明】
１０  ドア枠ジョイント材            １１  第１部材
１２  第２部材                      １３  長片
１４  短片                          １５  一端部
１６  ドア枠                        １７  凹溝
１８  ドア枠                        １９  凹溝
２０  先部                          ２１  溝壁
２２  中央部                        ２３  基部
２３ａ  切欠き                      ２４  境界部分
２５  壁部材                        ２６  壁部材
２７  柱                            ２８  戸当たり
２９  凹溝                          ３０  戸当たり
３１  釘                            ３２  凹溝
３３  ドア枠ジョイント材            ３４  ドア枠ジョイント材
【図１】
0003728372.tif 000002
【図２】
0003728372.tif 000003
【図３】
0003728372.tif 000004